(57)【特許請求の範囲】
【請求項１】
外部機器から転送されてきた転送ファイルに基づいて更新対象ファイルを更新するデータ管理装置であって、
予め設定された条件に基づいて、設定された間隔で、前記転送ファイルが転送されてきたか否かを繰り返し判定する転送ファイル判定部と、
前記転送ファイル判定部が前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイル判定部によって次の判定が行なわれる前に、前記転送ファイルを削除する保存ファイル作成部と、
前記保存ファイル作成部が作成した前記保存ファイルの保存ファイル名と対応する入力ファイル名を有する入力ファイルを作成し、前記入力ファイルに前記保存ファイルのデータを格納するとともに、前記保存ファイルを削除する入力ファイル作成部と、
前記入力ファイルを用いて前記更新対象ファイルを更新するよう、前記入力ファイル作成部が作成した入力ファイルと対応する更新処理を起動する更新処理起動部と、
を備えたデータ管理装置。
【請求項２】
前記更新処理起動部からの指示により前記更新処理を実行する更新処理実行部をさらに備え、
前記更新処理実行部は、前記更新対象ファイルを更新した後、前記入力ファイルを削除する、請求項１に記載のデータ管理装置。
【請求項３】
前記保存ファイル作成部は、同名の保存ファイルが既に作成されている場合、前記転送ファイルのデータを前記同名の保存ファイルに追記する、請求項１又は２に記載のデータ管理装置。
【請求項４】
前記入力ファイル作成部は、同名の入力ファイルが既に作成されている場合、前記保存ファイルのデータを前記同名の入力ファイルに追記する、請求項１から３のいずれかに記載のデータ管理装置。
【請求項５】
前記転送ファイル判定部は、前記転送ファイル名、保存ファイル名、入力ファイル名、及び更新処理名を関連付けて格納する設定ファイルを取得する、請求項１から４のいずれかに記載のデータ管理装置。
【請求項６】
外部機器から転送されてきた転送ファイルに基づいて更新対象ファイルを更新するデータ管理方法であって、
（ａ）予め設定された条件に基づいて、設定された間隔で、前記転送ファイルが転送されてきたか否かを繰り返し判定するステップと、
（ｂ）前記ステップ（ａ）において前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、次の前記（ａ）のステップによる判定が行なわれる前に、前記転送ファイルを削除するステップと、
（ｃ）前記ステップ（ｂ）において作成した前記保存ファイルの保存ファイル名と対応する入力ファイル名を有する入力ファイルを作成し、前記入力ファイルに前記保存ファイルのデータを格納するとともに、前記保存ファイルを削除するステップと、
（ｄ）前記入力ファイルを用いて前記更新対象ファイルを更新するよう、前記ステップ（ｃ）において作成した入力ファイルと対応する更新処理を起動するステップと、
を含む、データ管理方法。
【請求項７】
コンピュータによって、外部機器から転送されてきた転送ファイルに基づいて更新対象ファイルを更新するためのプログラムであって、
前記コンピュータに、
（ａ）予め設定された条件に基づいて、設定された間隔で、前記転送ファイルが転送されてきたか否かを繰り返し判定するステップと、
（ｂ）前記ステップ（ａ）において前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、次の前記（ａ）のステップによる判定が行なわれる前に、前記転送ファイルを削除するステップと、
（ｃ）前記ステップ（ｂ）において作成した前記保存ファイルの保存ファイル名と対応する入力ファイル名を有する入力ファイルを作成し、前記入力ファイルに前記保存ファイルのデータを格納するとともに、前記保存ファイルを削除するステップと、
（ｄ）前記入力ファイルを用いて前記更新対象ファイルを更新するよう、前記ステップ（ｃ）において作成した入力ファイルと対応する更新処理を起動するステップと、
を実行させる、プログラム。
【発明の詳細な説明】
【技術分野】
【０００１】
本発明は、データ管理装置、データ管理方法、及びプログラムに関する。
【背景技術】
【０００２】
近年、特許文献１に記載されたような、インターネットなどのネットワークを介して受注受付システムに接続された受注管理システムが広く用いられている。この受注管理システムは、受注受付システムから転送されてきた受注ファイルを受信すると、そのファイル内容に基づき、データベースを更新して受注処理を行う。
【０００３】
ところで、上述したような受注管理システムにおいて、受注受付システムから転送されてきた受注ファイルが受注管理システムにおいて処理されていないうちに、新たに発生したデータを含む同名の受注ファイルが受注管理システムに転送されてくることがある。この場合、既に受注管理システムに保存されている転送ファイルが上書き保存されてしまうとデータに整合性がとれなくなってしまうため、種々の方法でこの上書きを防止することが行われている。
【０００４】
例えば、特許文献２には、転送先の外部機器における同名ファイルの上書きを防止するとともに、転送後のファイル管理が容易なファイル転送装置を実現する技術が開示されている。この特許文献２に記載されたファイル転送装置は、記録媒体中の転送する画像データファイルの存在するディレクトリ構成と等しいディレクトリ構成を記憶装置に生成する。そして、このファイル転送装置は、記憶装置側の対応するディレクトリに画像データファイルを転送する。
【先行技術文献】
【特許文献】
【０００５】
【特許文献１】特開２００９−１１０１２９号公報
【特許文献２】特開２００６−０８５２９７号公報
【発明の概要】
【発明が解決しようとする課題】
【０００６】
しかしながら特許文献２に記載されたような方法で同名ファイルの上書きを回避する場合、ディレクトリ構成が複雑化してしまうという課題がある。また、このようにディレクトリ構成が複雑化されてしまうと、転送されてきた転送ファイルをデータ更新に利用する場合においても問題が生じる。すなわち、転送ファイルに基づいて更新対象ファイルを更新するための更新プログラムにディレクトリ構成を解析させる必要があるため、更新対象プログラムが複雑化してしまうという問題が生じる。
【０００７】
そこで、本発明の目的の一例は、ディレクトリ構成を複雑化することなく、同名の転送ファイルが転送された場合であっても、転送先の転送ファイルが上書きされることを防止できるデータ管理装置、データ管理方法、及びプログラムを提供することにある。
【課題を解決するための手段】
【０００８】
上記目的を達成するため、本発明の一側面におけるデータ管理装置は、外部から転送されてきた転送ファイルに基づいて更新対象ファイルを更新するデータ管理装置であって、
予め設定された条件に基づいて前記転送ファイルが転送されてきたか否か判定する転送ファイル判定部と、
前記転送ファイル判定部が前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイルを削除する保存ファイル作成部と、
前記保存ファイル作成部が作成した前記保存ファイルの保存ファイル名と対応する入力ファイル名を有する入力ファイルを作成し、前記入力ファイルに前記保存ファイルのデータを格納するとともに、前記保存ファイルを削除する入力ファイル作成部と、
前記入力ファイルを用いて前記更新対象ファイルを更新するよう、前記入力ファイル作成部が作成した入力ファイルと対応する更新処理を起動する更新処理起動部と、
を備えたことを特徴とする。
【０００９】
また、上記目的を達成するため、本発明の一側面におけるデータ管理方法は、外部から転送されてきた転送ファイルに基づいて更新対象ファイルを更新するデータ管理方法であって、
（ａ）予め設定された条件に基づいて前記転送ファイルが転送されてきたか否か判定するステップと、
（ｂ）前記ステップ（ａ）において前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイルを削除するステップと、
（ｃ）前記ステップ（ｂ）において作成した前記保存ファイルの保存ファイル名と対応する入力ファイル名を有する入力ファイルを作成し、前記入力ファイルに前記保存ファイルのデータを格納するとともに、前記保存ファイルを削除するステップと、
（ｄ）前記入力ファイルを用いて前記更新対象ファイルを更新するよう、前記ステップ（ｃ）において作成した入力ファイルと対応する更新処理を起動するステップと、
を含むことを特徴とする。
【００１０】
更に、上記目的を達成するため、本発明の一側面におけるプログラムは、コンピュータによって、外部から転送されてきた転送ファイルに基づいて更新対象ファイルを更新するためのプログラムであって、
前記コンピュータに、
（ａ）予め設定された条件に基づいて前記転送ファイルが転送されてきたか否か判定するステップと、
（ｂ）前記ステップ（ａ）において前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイルを削除するステップと、
（ｃ）前記ステップ（ｂ）において作成した前記保存ファイルの保存ファイル名と対応する入力ファイル名を有する入力ファイルを作成し、前記入力ファイルに前記保存ファイルのデータを格納するとともに、前記保存ファイルを削除するステップと、
（ｄ）前記入力ファイルを用いて前記更新対象ファイルを更新するよう、前記ステップ（ｃ）において作成した入力ファイルと対応する更新処理を起動するステップと、
を実行させることを特徴とする。
【発明の効果】
【００１１】
以上のように本発明に係るデータ管理装置、データ管理方法、及びプログラムによれば、ディレクトリ構成を複雑化することなく、同名の転送ファイルが転送された場合であっても、転送先の転送ファイルが上書きされることを防止することができる。
【図面の簡単な説明】
【００１２】
【図１】図１は本発明の実施形態に係るデータ管理装置の構造を示すブロック図である。
【図２】図２は本発明の実施形態に係る設定ファイルの一例を示す図である。
【図３】図３は本発明の実施形態に係るデータ管理装置の動作を示すフローチャートである。
【図４】図４は本発明の実施形態に係る転送ファイル及び保存ファイルを概念的に示す図である。
【図５】図５は本発明の実施形態に係る転送ファイルに格納されているデータの一例を示す図である。
【図６】図６は本発明の実施形態に係る転送ファイル及び保存ファイルを概念的に示す図である。
【図７】図７は本発明の実施形態に係る転送ファイルに格納されているデータの一例を示す図である。
【図８】図８は本発明の実施形態に係る保存ファイル及び入力ファイルを概念的に示す図である。
【図９】図９は本発明の実施形態に係るデータベースに格納されているデータの一例を示す図である。
【図１０】図１０は本発明の実施形態に係るデータベースに格納されている更新後のデータの一例を示す図である。
【図１１】図１１は本発明の実施形態に係るデータベースに格納されている更新後のデータの一例を示す図である。
【図１２】図１２は本発明の実施形態に係るデータ管理装置を実現するコンピュータの一例を示す図である。
【発明を実施するための形態】
【００１３】
（実施形態）
以下、本発明の実施形態におけるデータ管理装置、データ管理方法、及びプログラムについて、図面を参照しながら説明する。
【００１４】
［データ管理装置］
最初に図１を用いて、本実施形態におけるデータ管理装置の構成について説明する。図１は、本発明の実施形態に係るデータ管理装置の構成を示すブロック図である。
【００１５】
図１に示すように、本実施形態におけるデータ管理装置１は、外部機器２から転送されてきた転送ファイル２１に基づいてデータベース３などの更新対象ファイルを更新するデータ管理装置１である。このデータ管理装置１は、転送ファイル判定部１１と、保存ファイル作成部１２と、入力ファイル作成部１３と、更新処理起動部１４と、を備えている。
【００１６】
転送ファイル判定部１１は、予め設定された条件に基づいて、外部機器２からデータ管理装置１へ転送ファイル２１が転送されてきたか否かを判定する。
【００１７】
保存ファイル作成部１２は、転送ファイル判定部１１が転送ファイル２１が転送されてきたと判定した場合、転送ファイル２１の転送ファイル名と対応する保存ファイル名を有する保存ファイル１７を作成する。そして、保存ファイル作成部１２は、作成した保存ファイル１７に転送ファイル２１のデータを格納するとともに、転送ファイル２１を削除する。
【００１８】
入力ファイル作成部１３は、保存ファイル作成部１２が作成した保存ファイル１７の保存ファイル名と対応する入力ファイル名を有する入力ファイル１８を作成する。そして、入力ファイル作成部１３は、作成した入力ファイル１８に保存ファイル１７のデータを格納するとともに、保存ファイル１７を削除する。
【００１９】
更新処理起動部１４は、入力ファイル作成部１３が作成した入力ファイル１８を用いてデータベース３を更新するよう、入力ファイル作成部１３が作成した入力ファイル１８と対応する更新処理を起動する。
【００２０】
以上説明したデータ管理装置１は、外部機器２から転送されてきた転送ファイル２１は、そのデータが保存ファイル１７に格納され、転送ファイル２１自体は削除される。このため、次に同名の転送ファイル２１がデータ管理装置に転送されてきても、以前に転送されてきた同名の転送ファイル２１は削除されているため、転送ファイル２１が上書きされることがない。
【００２１】
ここで、データ管理装置１の構成を更に具体的に説明する。図１に示すように、本実施形態におけるデータ管理装置１では、転送ファイル判定部１１、保存ファイル作成部１２、入力ファイル作成部１３、及び更新処理起動部１４に加え、更新処理実行部１５を更に備えている。
【００２２】
転送ファイル判定部１１は、設定ファイル１６から、転送ファイル名、保存ファイル名、入力ファイル名、及びデータ更新プログラム名の対応情報を読み込み、記憶する。また、転送ファイル判定部１１は、設定ファイル１６から転送ファイル監視間隔を読み込み、その監視間隔毎に転送ファイル２１が外部機器２から転送ファイル２１が転送されてきたか否かを判定する。
【００２３】
ここで設定ファイル１６について図２を参照しつつ説明する。図２は、本発明の実施形態に係る設定ファイルの一例を示す図である。
【００２４】
図２に示すように、設定ファイル１６は、転送ファイルの種類毎に、転送ファイル名、保存ファイル名、入力ファイル名、及び更新処理を実行する更新プログラム名が関連付けられた情報を格納している。転送ファイルの種類としては、例えば、売上ファイル、受注ファイル、入庫ファイル、出庫ファイル、出荷ファイル、及び入金ファイルなどを挙げることができる。なお、この設定ファイル１６は、予めシステム管理者などによって作成される。
【００２５】
設定ファイル１６の内容について具体的に説明すると、例えば図２の［THREAD01］には、売上ファイルに関する情報が関連付けられており、売上データに関する売上ファイルのファイル名、すなわち転送ファイル名（FilePath(FTP)）はURIAGE.TXTである。そして、これに対応する保存ファイル名(FileName(SAVE))をURIAGE_SV.TXTと設定し、さらにこれに対応する入力ファイル名(FileName(IN))をURIAGE_IN.TXTと設定している。また、この売上データを用いて更新対象ファイルの更新処理を実行する更新プログラム名(ApName)は、URIAGE_UPDATE.EXEに設定している。
【００２６】
また、図２の［THREAD02］では、受注ファイルに関する情報が関連付けられており、受注データに関する受注ファイルのファイル名、すなわち、転送ファイル名(FilePath(FTP))は、JUCHU.TXTである。そして、これに対応する保存ファイル名(FileName(SAVE))をJUCHU_SV.TXTと設定し、さらにこれに対応する入力ファイル名(FileName(IN))をJUCHU_IN.TXTと設定している。また、この受注ファイルを用いて更新対象ファイルの更新処理を実行する更新プログラム名(ApName)は、JUCHU_UPDATE.EXEに設定している。
【００２７】
以上のように、設定ファイル１６には、ファイルの種類毎に、そのファイルの転送ファイル名、保存ファイル名、入力ファイル名、及び更新プログラム名が関連付けられた情報が格納されている。
【００２８】
図１に戻ってデータ管理装置１の説明を続ける。保存ファイル作成部１２は、設定ファイル１６に格納された情報に基づき、転送されてきた転送ファイル２１の転送ファイル名と対応する保存ファイル名を有する保存ファイル１７を作成する。例えば、転送ファイル２１のファイル名がURIAGE.TXTであれば、保存ファイル作成部１２は、URIAGE_SV.TXTというファイル名の保存ファイル１７を作成する。そして、保存ファイル作成部１２は、作成した保存ファイル１７に転送ファイル２１のデータを格納し、データが保存ファイル２１に格納された転送ファイル２１を削除する。
【００２９】
入力ファイル作成部１３は、設定ファイル１６に格納された情報に基づき、保存ファイル１７の保存ファイル名と対応する入力ファイル名を有する入力ファイル１８を作成する。例えば、転送ファイル２１のファイル名がURIAGE.TXTであれば、入力ファイル作成部１３は、URIAGE_IN.TXTというファイル名の入力ファイル１８を作成する。また、入力ファイル作成部１３は、保存ファイル１７のデータを入力ファイル１８に格納し、その保存ファイルを削除する。
【００３０】
更新処理起動部１４は、設定ファイル１６から読み取った更新プログラムを更新処理実行部１５に実行させる。例えば、転送ファイルがURIAGE.TXTであれば、URIAGE_UPDATE.EXEというファイル名の更新プログラムを更新処理実行部１５に実行させる。
【００３１】
更新処理実行部１５は、更新処理起動部１４からの指示に基づき、更新プログラムを実行して、入力ファイル１８を用いてデータベース３を更新する。また、更新処理実行部１５は、その入力ファイル１８を削除する。
【００３２】
［データ管理装置の動作］
次に、本発明の実施形態におけるデータ管理装置の動作について、図１及び図２を適宜参酌しつつ、図３を用いて説明する。なお、本実施形態では、データ管理装置を動作させることによってデータ管理方法が実施されるため、本実施形態におけるデータ管理方法の説明は以下のデータ管理装置の動作説明に代える。なお、以下の実施形態では、データ管理装置１が、外部機器２から転送されてくる売上データに関する売上ファイルに基づいて売上データのデータベース３を更新する際の処理について説明を行う。
【００３３】
図３は、本発明の実施形態に係るデータ管理装置の動作を示すフローチャートである。
【００３４】
図３に示すように、まず、転送ファイル判定部１１は、図２に示すような設定ファイル１６から転送ファイル監視間隔を読み込み記憶するとともに、ファイルの種類毎に関連付けられた転送ファイル名、保存ファイル名、入力ファイル名、及びデータ更新プログラム名を読み込み、記憶する（ステップＳ１）。
【００３５】
次に、転送ファイル判定部１１は、設定ファイル１６から読み込んだ監視間隔で、外部機器２からデータ管理装置１へ転送されてくる転送ファイルを監視し（ステップＳ２）、外部機器２からデータ管理装置１へ転送ファイル２１が転送されてきたか否か判定する（ステップＳ３）。
【００３６】
転送ファイル判定部１１が転送ファイルが転送されてきたと判定した場合（ステップＳ３のＹｅｓ）、続いて保存ファイル作成部１２が、保存ファイル１７が存在するか否か判定する（ステップＳ４）。
【００３７】
ここで、保存ファイル１７が存在するか否かを保存ファイル作成部１２が判定する手順を詳細に説明する。
【００３８】
転送ファイル判定部１１は、転送ファイル２１が転送されてきたと判定すると、まず、その転送ファイル２１のファイル名が、設定ファイル１６の［THREAD01］に定義されているFile Pathと一致するか否か判定する。そして、一致すれば、転送ファイル判定部１１は、その［THREAD01］に関する情報を保存ファイル作成部１２、及び入力ファイル作成部１３、及び更新処理起動部１４に引き渡す。具体的には、転送ファイル判定部１１は、［THREAD01］において定義されている転送ファイル名（FileName(FTP)）、保存ファイル名（FileName(SAVE)）、入力ファイル名（FileName(IN)）、及び更新プログラム名（ApName）の情報を、保存ファイル作成部１２、入力ファイル作成部１３、及び更新処理起動部１４に引き渡す。
【００３９】
なお、転送ファイル判定部１１は、転送されてきた転送ファイル２１のファイル名が、［THREAD01］のFilePathと一致しなければ、次の［THREAD02］のFilePathと一致するか判定するというように、一致するFilePathを有する［THREAD〜］を順次検索していく。そして、転送ファイル判定部１１は、一致するFilePathを発見すると、そのFilePathと同じ［THREAD〜］に定義している各情報を保存ファイル作成部１２、入力ファイル作成部１３、及び更新処理起動部１４に引き渡す。
【００４０】
そして、保存ファイル作成部１２は、転送ファイル判定部１１から引き渡された保存ファイル名（FileName(SAVE)）を有する保存ファイル１７が存在するか否か判定する（ステップＳ４）。
【００４１】
保存ファイル作成部１２は、転送ファイル判定部１１から引き渡された保存ファイル名を有する保存ファイルが存在しないと判定した場合（ステップＳ４のＮｏ）、この保存ファイル名を有する保存ファイル１７を新規作成する（ステップＳ５）。
【００４２】
次に、保存ファイル作成部１２は、作成した保存ファイル１７に転送ファイル２１のデータを格納し、その後、転送ファイル２１を削除する（ステップＳ６）。
【００４３】
一方、保存ファイル作成部１２は、転送ファイル判定部１１から引き渡された保存ファイル名を有する保存ファイル１７が既に存在すると判定した場合（ステップＳ４のＹｅｓ）、その保存ファイル名を有する保存ファイル１７に転送ファイル２１のデータを追記する。そして、保存ファイル作成部１２は、転送ファイル２１を削除する（ステップＳ６）。
【００４４】
以上のように保存ファイル作成部１２が転送ファイル２１のデータを保存ファイル１７に格納すると、データ管理装置１は、再度ステップＳ２からの処理を実行する。
【００４５】
次に、ステップＳ３において、転送ファイル判定部１１が、ファイル監視間隔内に転送ファイル２１が転送されてきていないと判定した場合（ステップＳ３のＮｏ）の処理について説明する。
【００４６】
転送ファイル判定部１１が、ファイル監視間隔内に同じファイル名の転送ファイル２１が転送されてきていないと判定した場合（ステップＳ３のＮｏ）、保存ファイル作成部１２は、保存ファイル１７が存在するか否か判定する（ステップＳ７）。
【００４７】
詳細には、保存ファイル作成部１２は、転送ファイル判定部１１から引き渡された保存ファイル名（FileName(SAVE)）を有する保存ファイル１７が存在するか否か判定する（ステップＳ７）。
【００４８】
保存ファイル１７が存在しないと保存ファイル作成部１２が判定した場合（ステップＳ７のＮｏ）、データ管理装置１は、再度ステップＳ２から処理を繰り返す。なお、保存ファイル作成部１２が転送ファイル判定部１１から保存ファイル名に関する情報を引き渡されていない場合も、保存ファイル作成部１２は、保存ファイル１７が存在しないと判定する。
【００４９】
一方、保存ファイル作成部１２が保存ファイル１７が存在すると判定した場合（ステップＳ７のＹｅｓ）、入力ファイル作成部１３は、入力ファイルが存在するか否か判定する（ステップＳ８）。
【００５０】
詳細には、入力ファイル作成部１３は、転送ファイル判定部１１から引き渡された入力ファイル名（FileName(IN)）を有する入力ファイル１８が既に存在するか否か判定する（ステップＳ８）。
【００５１】
そして、入力ファイル作成部１３は、転送ファイル判定部１１から引き渡された入力ファイル名を有する入力ファイル１８が存在しないと判定すると（ステップＳ８のＮｏ）、そのファイル名を有する入力ファイル１８を新規に作成する（ステップＳ９）。そして、入力ファイル作成部１３は、保存ファイル１７に格納されたデータを入力ファイル１８に格納し、保存ファイル１７を削除する（ステップＳ１１）。
【００５２】
一方、入力ファイル作成部１３は、転送ファイル判定部１１から引き渡された入力ファイル名を有する入力ファイル１８が存在すると判定した場合（ステップＳ８のＹｅｓ）、以下のような処理を行う。なお、入力ファイル１８が存在する場合とは、更新プログラムが起動中か、更新プログラムが異常終了した場合である。
【００５３】
入力ファイル作成部１３は、転送ファイル判定部１１から引き渡された入力ファイル名を有する入力ファイル１８が存在すると判定すると（ステップＳ８のＹｅｓ）、次に、更新プログラムが起動中か否か判定する（ステップＳ１０）。詳細には、入力ファイル作成部１３は、転送ファイル判定部１１から引き渡された更新プログラム名を有する更新プログラムが起動中か否か判定する（ステップＳ１０）。
【００５４】
そして、入力ファイル作成部１３が更新プログラムが起動中であると判定すると（ステップＳ１０のＹｅｓ）、データ管理装置１は、上記ステップＳ２から処理を繰り返す。
【００５５】
一方、入力ファイル作成部１３は、更新プログラムが起動中でないと判定すると（ステップＳ１０のＮｏ）、保存ファイル１７に格納されているデータを、既に作成されている入力ファイル１８に格納し、保存ファイル１７を削除する（ステップＳ１１）。
【００５６】
以上のように上記ステップＳ１１における処理によって保存ファイル１７のデータが入力ファイル１８に格納されると、次に、更新処理起動部１４が、更新処理を起動する（ステップＳ１２）。詳細には、更新処理起動部１４は、転送ファイル判定部１１から引き渡された更新プログラム名の更新プログラムを起動するよう、更新処理実行部１５に指示を出す。
【００５７】
次に、更新処理実行部１５は、更新処理起動部１４によって指示された更新プログラムを実行することで更新処理を実行し、入力ファイル１８内のデータに基づきデータベース３等の更新対象ファイルを更新し、入力ファイル１８を削除する（ステップＳ１３）。なお、入力ファイル１８内に複数のデータが格納されている場合、更新処理実行部１５は、転送日時が古いデータから順に用いて更新処理を実行する。
【００５８】
以上の処理を行うことで、本実施形態に係るデータ管理装置１は、外部機器２から転送されてきた転送ファイル２１を用いてデータベース３などの更新対象ファイルを更新する。なお、データ管理装置１は、上記ステップＳ２からステップＳ１３までの処理を繰り返す。
【００５９】
［具体例］
上述したデータ管理装置１の動作の具体例について、以下説明する。
【００６０】
図４は、本発明の実施形態に係る転送ファイル及び保存ファイルを概念的に示す図である。また、図５は、本発明の実施形態に係る転送ファイルに格納されているデータの一例を示す図である。
【００６１】
まず、図４（ａ）に示すように、転送ファイル判定部１１は、図２に示す設定ファイル１６を読み込む（ステップＳ１）。そして、転送ファイル判定部１１は、１０００００ミリ秒間隔で転送ファイル２１を監視する（ステップＳ２）。
【００６２】
そして、外部機器２から、図５に示すデータＡが格納されたURIAGE.TXTというファイル名の転送ファイル２１が転送されてくると、転送ファイル判定部１１は、転送ファイル２１が転送されてきたと判定する（ステップＳ３のＹｅｓ）。
【００６３】
次に、転送ファイル判定部１１は、転送ファイル２１のファイル名であるURIAGE.TXTと一致するFilePathを定義するTHREAD情報を検索する。そして、転送ファイル判定部１１は、[THREAD01]のFilePathがURIAGE.TXTであることを発見すると、この［THREAD01］において定義された情報を保存ファイル作成部１２、入力ファイル作成部１３、及び更新処理起動部１４に引き渡す。詳細には、転送ファイル判定部１１は、転送ファイル名がURIAGE.TXT、保存ファイル名がURIAGE_SV.TXT、入力ファイル名がURIAGE_IN.TXT、及び更新プログラム名がURIAGE_UPDATE.EXEであるという情報を、保存ファイル作成部１２、入力ファイル作成部１３、及び更新処理起動部１４に引き渡す。
【００６４】
次に、図４（ｂ）に示すように、保存ファイル作成部１２は、転送ファイル判定部１１から引き渡された情報に基づき、URIAGE_SV.TXTというファイル名の保存ファイル１７が存在するか否か判定する（ステップＳ４）。
【００６５】
URIAGE_SV.TXTというファイル名の保存ファイル１７が存在しないと保存ファイル作成部１２が判定すると（ステップＳ４のＮｏ）、保存ファイル作成部１２は、URIAGE_SV.TXTというファイル名の保存ファイル１７を作成する（ステップＳ５）。
【００６６】
次に、保存ファイル作成部１２は、転送ファイル２１のデータＡを保存ファイル１７に格納し、URIAGE.TXTというファイル名の転送ファイル２１を削除する（ステップＳ６）。
【００６７】
次に、転送ファイル判定部１１は、再度転送ファイル２１を監視する（ステップＳ２）。そして、図６（ａ）に示すように、外部機器２から図７に示すデータＡ’が格納されたURIAGE.TXTというファイル名の転送ファイル２１が転送されてくる。すると、転送ファイル判定部１１は、URIAGE.TXTというファイル名の転送ファイル２１が転送されてきたと判定する（ステップＳ３のＹｅｓ）。なお、図６は、本発明の実施形態に係る転送ファイル及び保存ファイルを概念的に示す図である。また、図７は、本発明の実施形態に係る転送ファイルに格納されているデータの一例を示す図である。
【００６８】
URIAGE.TXTに対応するURIAGE_SV.TXTというファイル名の保存ファイル１７は既に作成されている。このため、保存ファイル作成部１２は、保存ファイル１７は既に存在すると判定する（ステップＳ４のＹｅｓ）。そして、図６（ｂ）に示すように、保存ファイル作成部１２は、転送ファイル２１のデータＡ’を、上述したステップＳ４で作成されたURIAGE_SV.TXTというファイル名の保存ファイル１７に追記し、転送ファイル２１を削除する（ステップＳ６）。これにより、保存ファイル１７は、データＡとデータＡ’が格納された状態となっている。
【００６９】
次に、転送ファイル判定部１１が、再度転送ファイル２１を監視し（ステップＳ２）、転送ファイル２１が転送されてきていないと判定する（ステップＳ３のＮｏ）。次に、保存ファイル作成部１２は、URIAGE_SV.TXTというファイル名の保存ファイル１７が存在すると判定する（ステップＳ７のＹｅｓ）。そして、入力ファイル作成部１３は、URIAGE_IN.TXTというファイル名の入力ファイルが存在しないと判定する（ステップＳ８のＮｏ）。
【００７０】
入力ファイル作成部１３は、転送ファイル判定部１１から引き渡された情報に基づき、URIAGE_IN.TXTというファイル名の入力ファイル１８を作成する（ステップＳ９）。そして、図８に示すように、入力ファイル作成部１３は、保存ファイル１７に格納されていたデータＡ及びデータＡ’を入力ファイル１８に格納し、保存ファイル１７を削除する（ステップＳ１１）。なお、図８は、本発明の実施形態に係る保存ファイル及び入力ファイルを概念的に示すである。
【００７１】
次に、更新処理起動部１４は、転送ファイル判定部１１から引き渡された情報に基づき、URIAGE_UPDATE.EXEというファイル名の更新プログラムを起動させる（ステップＳ１２）。
【００７２】
そして、更新処理実行部１５は、URIAGE_UPDATE.EXEというファイル名の更新プログラムを実行してデータベース３を更新して、入力ファイル１９を削除する（ステップＳ１３）。
【００７３】
詳細には、更新処理実行部１５は、まず、入力ファイル１９に格納されたデータＡ及びデータＡ’のうち転送日時が古いデータＡに基づいて、データベース３を更新する。データベース３が図９に示すデータ内容であった場合、データＡに基づいてデータベース３を更新が更新されると、更新後のデータベース３のデータ内容は図１０に示すようなデータ内容となる。なお、図９は、本発明の実施形態に係るデータベースに格納されているデータの一例を示す図であり、図１０は、本発明の実施形態に係るデータベースに格納されている更新後のデータの一例を示す図である。
【００７４】
次に、更新処理実行部１５は、データＡ’に基づいてデータベース３を更新する。これにより、更新後のデータベース３のデータ内容は、図１１に示すようなデータ内容となる。なお、図１１は、本発明の実施形態に係るデータベースに格納されている更新後のデータの一例を示す図である。
【００７５】
［プログラム］
本発明の実施形態におけるプログラムは、コンピュータに、図３に示すステップＳ１〜Ｓ１３を実行させるプログラムであればよい。このプログラムをコンピュータにインストールし実行することによって、本実施形態におけるデータ管理装置とデータ管理方法とを実現することができる。この場合、コンピュータのＣＰＵ（Central Processing Unit）は、転送ファイル判定部１１と、保存ファイル作成部１２と、入力ファイル作成部１３と、更新処理起動部１４と、更新処理実行部１５として機能し、処理を行う。
【００７６】
以上のように本実施形態によれば、データ管理装置１に転送されてきた転送ファイル２１は、転送ファイル監視間隔までの期間しか存在しない。このため、外部機器２が監視間隔をあけて同名の転送ファイル２１をデータ管理装置１に転送しても、データ管理装置１に以前に転送された同名の転送ファイル２１が上書き保存されることを防止することが可能となる。なお、この転送ファイル監視間隔の設定をより短くすることにより、リアルタイムに近い処理を行うことも可能となる。
【００７７】
ここで、実施形態におけるプログラムを実行することによって、データ管理装置１を実現するコンピュータについて図１２を用いて説明する。図１２は、本発明の実施形態におけるデータ管理装置を実現するコンピュータの一例を示すブロック図である。
【００７８】
図１２に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００７９】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００８０】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００８１】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００８２】
上記実施形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００８３】
例えば、上記実施形態では、外部機器から転送されてきた売上ファイルを用いて売上データに関するデータベースを更新する処理のみについて説明した。しかしながら、外部機器から他のファイル、例えば受注ファイルが転送されてきた場合、この受注ファイルを用いて受注データに関するデータベースを更新する処理を並列して同時に行うこともできる。
【００８４】
また、上記実施形態における転送ファイル２１、保存ファイル１７、及び入力ファイル１８は、データ管理装置１が備える記憶装置に格納されてもよいし、データ管理装置１に外部接続された記憶装置に格納されてもよい。
【００８５】
上述した実施の形態の一部又は全部は、以下に記載する（付記１）〜（付記１５）によって表現することができるが、以下の記載に限定されるものではない。
【００８６】
（付記１）
外部機器から転送されてきた転送ファイルに基づいて更新対象ファイルを更新するデータ管理装置であって、
予め設定された条件に基づいて前記転送ファイルが転送されてきたか否か判定する転送ファイル判定部と、
前記転送ファイル判定部が前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイルを削除する保存ファイル作成部と、
前記保存ファイル作成部が作成した前記保存ファイルの保存ファイル名と対応する入力ファイル名を有する入力ファイルを作成し、前記入力ファイルに前記保存ファイルのデータを格納するとともに、前記保存ファイルを削除する入力ファイル作成部と、
前記入力ファイルを用いて前記更新対象ファイルを更新するよう、前記入力ファイル作成部が作成した入力ファイルと対応する更新処理を起動する更新処理起動部と、
を備えたデータ管理装置。
【００８７】
（付記２）
前記更新処理起動部からの指示により前記更新処理を実行する更新処理実行部をさらに備え、
前記更新処理実行部は、前記更新対象ファイルを更新した後、前記入力ファイルを削除する、付記１に記載のデータ管理装置。
【００８８】
（付記３）
前記保存ファイル作成部は、同名の保存ファイルが既に作成されている場合、前記転送ファイルのデータを前記同名の保存ファイルに追記する、付記１又は２に記載のデータ管理装置。
【００８９】
（付記４）
前記入力ファイル作成部は、同名の入力ファイルが既に作成されている場合、前記保存ファイルのデータを前記同名の入力ファイルに追記する、付記１から３のいずれかに記載のデータ管理装置。
【００９０】
（付記５）
前記転送ファイル判定部は、前記転送ファイル名、保存ファイル名、入力ファイル名、及び更新処理名を関連付けて格納する設定ファイルを取得する、付記１から４のいずれかに記載のデータ管理装置。
【００９１】
（付記６）
外部機器から転送されてきた転送ファイルに基づいて更新対象ファイルを更新するデータ管理方法であって、
（ａ）予め設定された条件に基づいて前記転送ファイルが転送されてきたか否か判定するステップと、
（ｂ）前記ステップ（ａ）において前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイルを削除するステップと、
（ｃ）前記ステップ（ｂ）において作成した前記保存ファイルの保存ファイル名と対応する入力ファイル名を有する入力ファイルを作成し、前記入力ファイルに前記保存ファイルのデータを格納するとともに、前記保存ファイルを削除するステップと、
（ｄ）前記入力ファイルを用いて前記更新対象ファイルを更新するよう、前記ステップ（ｃ）において作成した入力ファイルと対応する更新処理を起動するステップと、
を含む、データ管理方法。
【００９２】
（付記７）
（ｅ）前記ステップ（ｄ）において起動した前記更新処理を実行するステップをさらに含み、
前記ステップ（ｅ）において、前記更新対象ファイルを更新した後、前記入力ファイルを削除する、付記６に記載のデータ管理方法。
【００９３】
（付記８）
前記ステップ（ｂ）において、同名の保存ファイルが既に作成されている場合、前記転送ファイルのデータを前記同名の保存ファイルに追記する、付記６又は７に記載のデータ管理方法。
【００９４】
（付記９）
前記ステップ（ｃ）において、同名の入力ファイルが既に作成されている場合、前記保存ファイルのデータを前記同名の入力ファイルに追記する、付記６から８のいずれかに記載のデータ管理方法。
【００９５】
（付記１０）
前記ステップ（ａ）において、前記転送ファイル名、保存ファイル名、入力ファイル名、及び更新処理名を関連付けて格納する設定ファイルを取得する、付記６から９のいずれかに記載のデータ管理方法。
【００９６】
（付記１１）
コンピュータによって、外部機器から転送されてきた転送ファイルに基づいて更新対象ファイルを更新するためのプログラムであって、
前記コンピュータに、
（ａ）予め設定された条件に基づいて前記転送ファイルが転送されてきたか否か判定するステップと、
（ｂ）前記ステップ（ａ）において前記転送ファイルが転送されてきたと判定した場合、前記転送ファイルの転送ファイル名と対応する保存ファイル名を有する保存ファイルを作成し、前記保存ファイルに前記転送ファイルのデータを格納するとともに、前記転送ファイルを削除するステップと、
（ｃ）前記ステップ（ｂ）において作成した前記保存ファイルの保存ファイル名と対応する入力ファイル名を有する入力ファイルを作成し、前記入力ファイルに前記保存ファイルのデータを格納するとともに、前記保存ファイルを削除するステップと、
（ｄ）前記入力ファイルを用いて前記更新対象ファイルを更新するよう、前記ステップ（ｃ）において作成した入力ファイルと対応する更新処理を起動するステップと、
を実行させる、プログラム。
【００９７】
（付記１２）
（ｅ）前記ステップ（ｄ）において起動した前記更新処理を実行するステップをさらに前記コンピュータに実行させ、
前記ステップ（ｅ）において、前記更新対象ファイルを更新した後、前記入力ファイルを削除する、付記１１に記載のプログラム。
【００９８】
（付記１３）
前記ステップ（ｂ）において、同名の保存ファイルが既に作成されている場合、前記転送ファイルのデータを前記同名の保存ファイルに追記する、付記１１又は１２に記載のプログラム。
【００９９】
（付記１４）
前記ステップ（ｃ）において、同名の入力ファイルが既に作成されている場合、前記保存ファイルのデータを前記同名の入力ファイルに追記する、付記１１から１３のいずれかに記載のプログラム。
【０１００】
（付記１５）
前記ステップ（ａ）において、前記転送ファイル名、保存ファイル名、入力ファイル名、及び更新処理名を関連付けて格納する設定ファイルを取得する、付記１１から１４のいずれかに記載のプログラム。
【産業上の利用可能性】
【０１０１】
本発明は、ファイル転送を行う分野において有効に利用することができる。
【符号の説明】
【０１０２】
１  データ管理装置
１１  転送ファイル判定部
１２  保存ファイル作成部
１３  入力ファイル作成部
１４  更新処理起動部
１５  更新処理実行部
１６  設定ファイル
１７  保存ファイル
１８  入力ファイル
２  外部機器
２１  転送ファイル
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
0005626922.tif 000002
【図２】
0005626922.tif 000003
【図３】
0005626922.tif 000004
【図４】
0005626922.tif 000005
【図５】
0005626922.tif 000006
【図６】
0005626922.tif 000007
【図７】
0005626922.tif 000008
【図８】
0005626922.tif 000009
【図９】
0005626922.tif 000010
【図１０】
0005626922.tif 000011
【図１１】
0005626922.tif 000012
【図１２】
0005626922.tif 000013